(57)【特許請求の範囲】
【請求項１】
開閉する扉に取り付けられるケースを有し、
ケースには、
扉が開閉して、床面に固定される基台と、基台に回動自在に取り付けられ、係止開口が形成された金属製のストッパー部材とからなるストッパー装置の上方に位置すると、ストッパー部材の先端を引き寄せてケースの下面に当接させる磁石と、
磁石によってケースの下面に当接されたストッパー部材の先端を係止して扉を開くことができないようにする凸部と、
磁石によってケースの下面に当接されたストッパー部材の係止開口の係止縁部を係止して扉を閉じることができないようにする係止突起と、
磁石によってケースの下面に当接されたストッパー部材を反当接方向に移動させて当接を解除する解除手段が設けられ、
係止突起は、凸部側に係止部が形成され、反凸部側に傾斜面が形成されており、
解除手段は、ストッパー部材を反当接方向に押圧する押圧軸と、押圧軸を当接方向に付勢する弾性部材とからなることを特徴とする扉止め装置。
【請求項２】
ストッパー装置とケースとで構成され、
ストッパー装置は、床面に固定される基台と、基台に回動自在に取り付けられた金属製のストッパー部材とからなり、
ストッパー部材には係止開口が形成され、
ケースは、開閉する扉に取り付けられ、
ケースには、
扉が開閉してストッパー装置の上方に位置すると、ストッパー部材の先端を引き寄せてケースの下面に当接させる磁石と、
磁石によってケースの下面に当接されたストッパー部材の先端を係止して扉を開くことができないようにする凸部と、
磁石によってケースの下面に当接されたストッパー部材の係止開口の係止縁部を係止して扉を閉じることができないようにする係止突起と、
磁石によってケースの下面に当接されたストッパー部材を反当接方向に移動させて当接を解除する解除手段が設けられ、
係止突起は、凸部側に係止部が形成され、反凸部側に傾斜面が形成されており、
解除手段は、ストッパー部材を反当接方向に押圧する押圧軸と、押圧軸を当接方向に付勢する弾性部材とからなることを特徴とする扉止め装置。
【請求項３】
請求項１記載の扉止め装置が一側に取り付けられていることを特徴とする扉。
【発明の詳細な説明】
【０００１】
【発明の属する技術分野】
本願発明は、扉を所定位置まで開くと、床面等に設けられた金属製のストッパー部材が扉を係止して、扉の開閉を規制する扉止め装置に関する。
【０００２】
【従来の技術】
従来の扉止め装置は、特許第２９８３５３０号公報、特許第２９９０６０１号公報に開示されているように、床面に設けられるストッパー装置と、開閉する扉に取り付けられるケースとで構成され、ストッパー装置は、床面に固定される基台と、基台に回動自在に取り付けられた金属製のストッパー部材とからなり、ケースには、扉が開閉してストッパー装置の上方に位置すると、金属製のストッパー部材を引き寄せてケースの一側に当接させて扉の開閉を規制する磁石が設けられている。
【０００３】
【発明が解決しようとする課題】
上記従来の扉止め装置は、扉を開くと、扉に取り付けたケースの磁石が、床面に設けられたストッパー装置の金属製のストッパー部材を引き寄せてケースの一側に当接させ、扉がこれ以上開くのを規制するが、扉を閉じる場合には、何等規制することがないので、扉を開いた状態で保持することができないという問題点があった。扉を開いた状態で保持するためには、開閉する扉の下部に略Ｌ字状の第１の係止具を取り付け、この第１の係止具を、床面又は壁に設けられた環状の第２の係止具に引っ掛けなければならなかった。この第１の係止具を第２の係止具に引っ掛ける作業は、膝を折り曲げて腰を屈めなければ出来ず、手足腰の不自由な人にとって、極めて辛いものであった。
【０００４】
本願発明は、上記問題点に鑑み案出したものであって、扉を開くと床面等に設けられたストッパー部材が当接して扉の開閉を規制し、扉を開いた状態で保持することができると共に、当接解除手段によりストッパー部材を強制的に反当接方向に移動させるだけで簡単に当接を解除することができ、立ったままで簡単に作業することができ、しかも確実にストッパー部材の当接を解除できる、従来にない新規な構造の扉止め装置を提供することを第１の目的とする。またこの扉止め装置が取り付けられた扉を提供することを第２の目的とする。
【０００５】
【課題を解決するための手段】
請求項１記載の扉止め装置は、上記第１の目的を達成するため、開閉する扉に取り付けられるケースを有し、ケースには、扉が開閉して、床面に固定される基台と、基台に回動自在に取り付けられ、係止開口が形成された金属製のストッパー部材とからなるストッパー装置の上方に位置すると、ストッパー部材の先端を引き寄せてケースの下面に当接させる磁石と、磁石によってケースの下面に当接されたストッパー部材の先端を係止して扉を開くことができないようにする凸部と、磁石によってケースの下面に当接されたストッパー部材の係止開口の係止縁部を係止して扉を閉じることができないようにする係止突起と、磁石によってケースの下面に当接されたストッパー部材を反当接方向に移動させて当接を解除する解除手段が設けられ、係止突起は、凸部側に係止部が形成され、反凸部側に傾斜面が形成されており、解除手段は、ストッパー部材を反当接方向に押圧する押圧軸と、押圧軸を当接方向に付勢する弾性部材とからなる。
【０００６】
請求項２記載の扉止め装置は、上記第１の目的を達成するため、ストッパー装置とケースとで構成され、ストッパー装置は、床面に固定される基台と、基台に回動自在に取り付けられた金属製のストッパー部材とからなり、ストッパー部材には係止開口が形成され、ケースは、開閉する扉に取り付けられ、ケースには、扉が開閉してストッパー装置の上方に位置すると、ストッパー部材の先端を引き寄せてケースの下面に当接させる磁石と、磁石によってケースの下面に当接されたストッパー部材の先端を係止して扉を開くことができないようにする凸部と、磁石によってケースの下面に当接されたストッパー部材の係止開口の係止縁部を係止して扉を閉じることができないようにする係止突起と、磁石によってケースの下面に当接されたストッパー部材を反当接方向に移動させて当接を解除する解除手段が設けられ、係止突起は、凸部側に係止部が形成され、反凸部側に傾斜面が形成されており、解除手段は、ストッパー部材を反当接方向に押圧する押圧軸と、押圧軸を当接方向に付勢する弾性部材とからなる。
【０００７】
請求項３記載の扉は、上記第２の目的を達成するため、上記扉止め装置が一側に取り付けられている。
【００１２】
【発明の実施の形態】
本願発明の一つの実施の形態を図１乃至図１９に基づいて説明する。図１は、扉止め装置の一つの実施の形態を示す分解斜視図である。図２は、図１の組立斜視図である。図３は、図２のカバー体を外した斜視図である。図４は、図２の後方から視た斜視図である。図５は、図４の磁石を外した斜視図である。図６、図２の側面図である。図７は、図２の下方から視た斜視図である。図８は、図２の上から見た平面図である。図９は、図１の扉止め装置の解除手段を示す斜視図である。
【００１３】
図１０は、図１の扉止め装置のカバー体を示す背面図である。図１１は、図１０の下側から視た下面図である。図１２は、図２の背面図である。図１３は、図２の下面図である。図１４は、扉止め装置の説明図である。図１５は、扉止め装置の断面図である。図１６は、扉止め装置を扉に取り付けた状態を示す斜視図である。図１７は、扉止め装置の動きを説明する説明図である。図１８は、図１７の断面図である。図１９は、扉止め装置の使用状態を説明する説明図である。
【００１４】
扉止め装置１は、開閉する扉Ｄに取り付けられるケース２を有する。ケース２には、扉Ｄが開閉して、床面に固定される基台８１と、基台８１に回動自在に取り付けられ、係止開口８３が形成された金属製のストッパー部材８２とからなるストッパー装置８０の上方に位置すると、ストッパー部材８２の先端８８を引き寄せてケース２の下面８に当接させる磁石６５，６６と、磁石６５，６６によってケース２の下面８に当接されたストッパー部材８２の先端８８を係止して扉Ｄを開くことができないようにする凸部３５と、磁石６５，６６によってケース２の下面８に当接されたストッパー部材８２の係止開口８３の係止縁部８５を係止して扉Ｄを閉じることができないようにする係止突起３６と、磁石６５，６６によってケース２の下面８に当接されたストッパー部材８２を反当接方向に移動させて当接を解除する解除手段５０が設けられている。係止突起３６は、凸部３５側に係止部３８が形成され、反凸部３５側に傾斜面３７が形成されている。解除手段５０は、ストッパー部材８２を反当接方向に押圧する押圧軸５１と、押圧軸５１を当接方向に付勢する弾性部材５２とからなる。扉止め装置１は、扉Ｄの一側に取り付けられている。
【００１５】
扉止め装置１は、ストッパー装置８０とケース２とで構成されている。ストッパー装置８０は、床面に固定される基台８１と、基台８１に回動自在に取り付けられた金属製のストッパー部材８２とからなる。ストッパー部材８２には係止開口８３が形成されている。ケース２は、開閉する扉Ｄに取り付けられている。ケース２には、扉Ｄが開閉してストッパー装置８０の上方に位置すると、ストッパー部材８２の先端８８を引き寄せてケース２の下面８に当接させる磁石６５，６６と、磁石６５，６６によってケース２の下面８に当接されたストッパー部材８２の先端８８を係止して扉Ｄを開くことができないようにする凸部３５と、磁石６５，６６によってケース２の下面８に当接されたストッパー部材８２の係止開口８３の係止縁部８５を係止して扉Ｄを閉じることができないようにする係止突起３６と、磁石６５，６６によってケース２の下面８に当接されたストッパー部材８２を反当接方向に移動させて当接を解除する解除手段５０が設けられている。係止突起３６は、凸部３５側に係止部３８が形成され、反凸部３５側に傾斜面３７が形成されている。解除手段５０は、ストッパー部材８２を反当接方向に押圧する押圧軸５１と、押圧軸５１を当接方向に付勢する弾性部材５２とからなる。
【００１９】
さらに扉止め装置１について詳細に説明する。扉止め装置１は、ケース２とカバー部材７０を有する。ケース２は、略矩形体状に形成され、前面３と、左面５と、右面６と、上面７と、下面８と、後面１０とを有する。前面３の左上部には、左凹部１１が形成されている。左凹部１１は、前面３と上面７側が開放された形で、上底面１２と、上左側面１３と、上右側面１５と、上後側面１６とで形成されている。上後側面１６には、後面１０と連通する上ネジ通し穴１７が形成されている。
【００２０】
前面３の右下部には、右凹部２０が形成されている。右凹部２０は、前面３と右面６側が開放された形で、下底面２１と、下左側面２２と、下上側面２３と、下後側面２５とで形成されている。下後側面２５には、後面１０と連通する下ネジ通し穴２６が形成されている。また、前面３の略中央より右寄りには、上下方向に伸びるガイド凹部２７が形成されている。さらにまた、前面３の両側には、上下方向に伸びるガイド突起２８ａ，２８ｂが設けられている。
【００２１】
上面７の右側には、円形のボス部２９が突設形成されている。ボス部２９の略中心には、断面が略円形状の上ガイド孔３０と断面が略矩形状の下ガイド孔３２が形成されている。上ガイド孔３０と下ガイド孔３２の間には、中間壁３１が形成されている。中間壁３１には、上ガイド孔３０と下ガイド孔３２を連通する連通孔３４が設けられている。連通孔３４は、下ガイド孔３２と同様に、断面が略矩形状に形成され、下ガイド孔３２と幅の長さが略同じで、下ガイド孔３２より横の長さが若干短くなっている。下ガイド孔３２は、ケース２の下面８に形成された開口３３と連通している。
【００２２】
ケース２の下面８の後端縁には、凸部３５が延設されている。また、ケース２の下面８の略中央には、係止突起３６が形成されている。係止突起３６は、略台形状に形成され、前部に傾斜面３７が形成され、後部に係止凹部３８が形成されている。ケース２の後面１０の左面５側には、矩形状の収納凹部４０が形成されている。収納凹部４０の開口４１下縁に係止凸部４３が突設形成されている。ケース２の後面１０両側縁には、上下方向に伸びるガイド凹段部４５ａ，４５ｂが形成されている。
【００２３】
ケース２の上ガイド孔３０及び下ガイド孔３２には、解除手段５０が上下方向に移動自在に設けられている。解除手段５０は、押圧軸５１と、押圧軸５１を上方に付勢するコイルバネ状の弾性部材５２とからなる。押圧軸５１は、断面略矩形状の矩形軸５３と、矩形軸５３の上端に設けられた略円形の頭部５５と、頭部５５の下面５６と矩形軸５３の前面５７，右面５８，左面５９，後面６０に設けられた略台形状のリブ６１とからなる。矩形軸５３の後面６０の略中間部には、係合段部６２が形成されている。矩形軸５３の下部は、後記ストッパー部材８２を押し下げ易くするため、傾斜させており、前部に前傾斜面４６が形成され、後部に後傾斜面４７が形成されている。
【００２４】
前記コイルバネ状の弾性部材５２は、上ガイド孔３０に収納され、中間壁３１に載置されている。押圧軸５１は、上ガイド孔３０内に収納され、矩形軸５３がコイルバネ状の弾性部材５２内に挿通されて下ガイド孔３２に摺動自在に案内され、頭部５５が弾性部材５２の上端に当接して、上方に付勢されている。押圧軸５１は、弾性部材５２の弾性によって、係合段部６２が中間壁３１の下部に圧接係合しており、頭部５５が上ガイド孔３０（ボス部２９）から突出している。
【００２５】
ケース２の後面１０の左面５側に形成された矩形状の収納凹部４０には、二つの磁石６５，６６が嵌合されて収納されている。下方の磁石６６は、収納凹部４０の開口４１下縁に形成された係止凸部４３によって後部下縁が係止され、収納凹部４０から落ちないようになっている。
【００２６】
カバー部材７０は、上壁７１と、前壁７２と、左壁７３と、右壁７４とからなる。前壁７２の内面７５には、前記ケース２の前面３に形成されたガイド凹部２７に摺動自在に案内されるガイド凸部７６が上下方向に延設されている。さらに左壁７３と右壁７４の後端には、ケース２の後面１０両側縁に形成されたガイド凹段部４５ａ，４５ｂに係合して摺動自在に案内される係合縁７７，７８が形成されている。
【００２７】
ストッパー装置８０は、床面Ｆに固定される基台８１と、基台８１に回動自在に取り付けられた金属製のストッパー部材８２とからなる。金属製のストッパー部材８２は、板状に形成され、係止開口８３が形成されている。係止開口８３の上縁部が係止縁部８５となり、係止縁部８５が前記ケース２の下面８に形成された係止突起３６の係止凹部３８に係止するようになっている。金属製のストッパー部材８２は、基台８１に形成された矩形状凹部８６内に一端が回動自在に取り付けられるようにして設けられている。この基台８１は、床面Ｆにネジ８７、接着剤等によって固定されている。基台８１には、カバー８９が取り付けられている。
【００２８】
扉止め装置１は、上記構成を有し、上記ケース２は、開閉する扉Ｄの下部にネジ４９，４９、接着剤等によって取り付けられる。ストッパー装置８０は、床面Ｆにネジ８７、８７、接着剤等によって固定されている。即ち、ケース２は、上ネジ通し穴１７と下ネジ通し穴２６にネジ４９，４９を挿通して、このネジ４９，４９を扉Ｄにねじ込むことによって、扉Ｄに固定して取り付けられる。なお、接着剤によってケース２を扉Ｄに固定しても構わない。
【００２９】
カバー部材７０をケース２に被せる。この被せる際、カバー部材７０の前壁７２の内面７５に設けられたガイド凸部７６を、ケース２の前面３に形成されたガイド凹部２７に摺動自在に係合し、カバー部材７０の左壁７３と右壁７４の後端に形成された係合縁７７，７８を、ケース２の後面１０両側縁に形成されたガイド凹段部４５ａ，４５ｂに摺動自在に係合する。
【００３０】
カバー部材７０は、これのガイド凸部７６がケース２のガイド凹部２７に案内され、これの係合縁７７，７８がケース２のガイド凹段部４５ａ、４５ｂに案内され、上下方向に移動可能となり、自重により、これの上壁７１が解除手段５０の頭部５５に当接する。なお、カバー部材７０の前壁７２内面７５は、ケース２の前面３に設けられたガイド突起２８ａ，２８ｂに摺接し、ケース２の前面３と接触しないようになっている。このカバー部材７０によって、解除手段５０が覆われ、見えないようになっている。また、カバー部材７０の左壁７３内面に案内突起７３ａを形成し、右壁７４内面に案内突起７４ａを形成する一方、ケース２の左面５に案内突起７３ａを案内する案内凹部５ａを設け、ケース２の右面６に案内突起７４ａを案内する案内凹部６ａを設け、ケース２の移動範囲を規制するようにしても構わない（図１５参照）。
【００３１】
扉Ｄを開いてケース２がストッパー装置８０の上方に位置すると、図１９（ａ）に示すように、ケース２内の磁石６５，６６の磁力によって金属製のストッパー部材８２が引き上げられ、ストッパー部材８２の先端８８がケース２の下面８に当接する。係止突起３６の前部に傾斜面３７が形成されているので、図１９（ｂ）に示すように、ストッパー部材８２の先端８８が傾斜面３７に沿って摺接し、図１９（ｃ）に示すように、係止突起３６と凸部３５間の下面８に当接する。
【００３２】
さらに扉Ｄを開こうとしても、図１９（ｄ）に示すように、ストッパー部材８２の先端８８が凸部３５に係止するため、扉Ｄを開くことができない。逆に、扉Ｄを閉じようとすると、図１９（ｅ）に示すように、ストッパー部材８２の係止縁部８５が係止突起３６の係止凹部３８に係止するため、扉Ｄを閉じることができない。このように、扉Ｄのケース２がストッパー装置８０の上方に位置すると、金属製のストッパー部材８２が引き上げられて下面８に当接し、係止突起３６と凸部３５間に挟まれて、扉Ｄが開いた状態で保持され、この一連の動作が全て自動的に行われるので、安全且つ確実で、手作業で行う面倒がない。
【００３３】
扉Ｄを閉じる時は、カバー部材７０を押し下げると、押圧軸５１が弾性部材５２の弾性に抗して下方に移動し、押圧軸５１の下部が下面８に形成されれた開口３３から突出して、ストッパー部材８２の先端８８を下方に移動させる。図１９（ｆ）に示すように、ストッパー部材８２の係止縁部８５が係止突起３６の係止凹部３８に係止しない位置まで押し下げられ、ストッパー部材８２の下面８に対する当接が解除される。扉Ｄを閉じると、図９（ｇ）に示すように、ストッパー部材８２の係止縁部８５が係止突起３６の係止凹部３８に係止されないので、ストッパー装置８０から離れる。
【００３４】
このように、扉止め装置１は、扉Ｄのケース２がストッパー装置８０の上部に位置すると、ケース２内の磁石６５，６６によって金属製のストッパー部材８２を引き上げ、ストッパー部材８２の先端８８がケース２の下面８に当接する。扉Ｄを開こうとしても、ストッパー部材８２の先端８８がケース２の凸部３５に係止するため、扉Ｄを開くことができない。逆に、扉Ｄを閉じようとすると、ストッパー部材８２の係止縁部８５が係止突起３６の係止凹部３８に係止するため、扉Ｄを閉じることができない。このように、扉Ｄは、ストッパー装置８０の上方に位置すると、自動的に開閉が規制される。
【００３５】
押圧軸５１を弾性部材５２の弾性に抗して押し下げると、押圧軸５１の下部がストッパー部材８２の先端８８を下方に移動させ、ストッパー部材８２の下面８に対する当接が解除され、ストッパー部材８２の係止縁部８５が係止突起３６の係止凹部３８に係止されなくなるので、扉Ｄを閉じることができる。このように、扉Ｄは、ストッパー装置８０によって、開いた状態で保持され、この保持を解除するには、カバー部材７０、即ち押圧軸５１を押し下げるだけで良く、無理に脚を曲げ、腰を屈めないで、立ったままで足の踏む動作だけで簡単に行うことができる。
【００３６】
扉止め装置１は、磁石６５，６６がケース２内に収納され、磁石６５，６６が剥き出しになっていないので、見た目を良くすることができ、ケース２内に塵や埃が入ることを防止することができる。また、ストッパー部材８２は、ケース２の下面８に接触し、磁石６５，６６に直接的に接触することがないので、直接接触の衝撃により発生する金属音、磁石６５，６６の破損、ストッパー部材８２の損傷、ストッパー部材８２が磁石６５，６６に摺接することによるストッパー部材８２及び磁石６５，６６の摩耗、傷による錆の発生等を防止することができ、長期間使用することが出来る。
【００３７】
【発明の効果】
以上説明してきたように、本願発明に係る扉止め装置は、開閉する扉に取り付けられるケースを有し、ケースには、ケースの一側に当接して扉の開閉を規制する、床面、壁面又は天井に設けられたストッパー部材を反当接方向に移動させて当接を解除する解除手段が設けられているので、扉を開閉してストッパー部材の近傍にケースが位置すると、ストッパー部材がケースの一側に当接して扉の開閉を規制し、解除手段により当接を解除して、扉の開閉を可能にする。このように、本願発明に係る扉止め装置は、簡単に扉の開閉を規制でき、解除手段により、容易に規制を解除することができるという効果がある。
【００３８】
本願発明に係る扉止め装置は、開閉する扉に取り付けられるケースを有し、ケースには、床面、壁面又は天井に設けられた金属製のストッパー部材を引き寄せてケースの一側に当接させて扉の開閉を規制する磁石と、磁石によってケースの一側に当接させた金属製のストッパー部材を反当接方向に移動させて当接を解除する解除手段が設けられているので、扉を開閉してストッパー部材の上部にケースが位置すると、ストッパー部材がケース内の磁石によって引き上げられ、ストッパー部材がケースの一側に当接して扉の開閉を規制し、解除手段により当接を解除して、扉の開閉を可能にする。このように、本願発明に係る扉止め装置は、簡単に扉の開閉を規制でき、解除手段により、容易に規制を解除することができるという効果がある。
【００３９】
本願発明に係る扉止め装置は、床面、壁面又は天井に設けられるストッパー装置と、開閉する扉に取り付けられるケースとで構成され、ストッパー装置は、床面、壁面又は天井に固定される基台と、基台に回動自在に取り付けられた金属製のストッパー部材とからなり、ケースには、扉が開閉してストッパー装置の上方に位置すると、金属製のストッパー部材を引き寄せてケースの一側に当接させて扉の開閉を規制する磁石と、磁石によってケースの一側に当接された金属製のストッパー部材を反当接方向に移動させて当接を解除する解除手段が設けられているので、扉を開閉してストッパー装置の上部にケースが位置すると、ストッパー装置のストッパー部材がケース内の磁石によって引き上げられ、ストッパー部材がケースの一側に当接して扉の開閉を規制し、解除手段により当接を解除して、扉の開閉を可能にする。このように、本願発明に係る扉止め装置は、簡単に扉の開閉を規制でき、解除手段により、容易に規制を解除することができるという効果がある。
【００４０】
本願発明に係る扉止め装置は、上記効果に加え、ストッパー部材がケースの下面に当接するので、磁石に直接的に接触することがなく、直接接触の衝撃により発生する金属音、磁石の破損、ストッパー部材の損傷、ストッパー部材が磁石に摺接することによるストッパー部材及び磁石の摩耗、傷による錆の発生等を防止することができ、長期間使用することが出来るという効果がある。
【００４１】
本願発明に係る扉止め装置は、上記効果に加え、ストッパー部材に、係止縁部が形成され、ケースの下面に、ストッパー部材の係止縁部を係止する係止突起が設けられているので、扉の開閉方向の規制を簡単に行うことができるという効果がある。
【００４２】
本願発明に係る扉止め装置は、上記効果に加え、解除手段が、ストッパー部材を反当接方向に押圧する押圧軸と、押圧軸を当接方向に付勢する弾性部材とからなるので、構造が簡単で安価に製造することができるという効果がある。
【００４３】
本願発明に係る扉は、上記効果を有する扉止め装置が一側に取り付けられているので、簡単に開閉が規制され、容易に規制を解除することができるという効果がある。
【図面の簡単な説明】
【図１】扉止め装置の一つの実施の形態を示す分解斜視図である。
【図２】図１の組立斜視図である。
【図３】図２のカバー体を外した斜視図である。
【図４】図２の後方から視た斜視図である。
【図５】図４の磁石を外した斜視図である。
【図６】図２の側面図である。
【図７】図２の下方から視た斜視図である。
【図８】図２の上から見た平面図である。
【図９】図１の扉止め装置の解除手段を示す斜視図である。
【図１０】図１の扉止め装置のカバー体を示す背面図である。
【図１１】図１０の下側から視た下面図である。
【図１２】図２の背面図である。
【図１３】図２の下面図である。
【図１４】扉止め装置の説明図である。
【図１５】扉止め装置の断面図である。
【図１６】扉止め装置を扉に取り付けた状態を示す斜視図である。
【図１７】扉止め装置の動きを説明する説明図である。
【図１８】図１７の断面図である。
【図１９】扉止め装置の使用状態を説明する説明図である。
【符号の説明】
Ｆ  床面
Ｄ  扉
１  扉止め装置
２  ケース
３  前面
５  左面
５ａ  案内凹部
６  右面
６ａ  案内凹部
７  上面
８  下面
１０  後面
１１  左凹部
１２  上底面
１３  上左側面
１５  上右側面
１６  上後側面
１７  上ネジ通し穴
２０  右凹部
２１  下底面
２２  下左側面
２３  下上側面
２５  下後側面
２６  下ネジ通し穴
２７  ガイド凹部
２８ａ  ガイド突起
２８ｂ  ガイド突起
２９  ボス部
３０  上ガイド孔
３１  中間壁
３２  下ガイド孔
３３  開口
３４  連通孔
３５  凸部
３６  係止突起
３７  傾斜面
３８  係止凹部
４０  収納凹部
４１  開口
４３  係止凸部
４５ａ  ガイド凹段部
４５ｂ  ガイド凹段部
４６  前傾斜面
４７  後傾斜面
４９  ネジ
５０  解除手段
５１  押圧軸
５２  弾性部材
５３  矩形軸
５５  頭部
５６  下面
５７  前面
５８  右面
５９  左面
６０  後面
６１  リブ
６２  係合段部
６５  磁石
６６  磁石
７０  カバー部材
７１  上壁
７２  前壁
７３  左壁
７３ａ  案内突起
７４  右壁
７４ａ  案内突起
７５  内面
７６  ガイド凸部
７７  係合縁
７８  係合縁
８０  ストッパー装置
８１  基台
８２  ストッパー部材
８３  係止開口
８５  係止縁部
８６  矩形状凹部
８７  ネジ
８８  先端
８９  カバー
【図１】
0003586265.tif 000002
【図２】
0003586265.tif 000003
【図３】
0003586265.tif 000004
【図４】
0003586265.tif 000005
【図５】
0003586265.tif 000006
【図６】
0003586265.tif 000007
【図７】
0003586265.tif 000008
【図８】
0003586265.tif 000009
【図９】
0003586265.tif 000010
【図１０】
0003586265.tif 000011
【図１１】
0003586265.tif 000012
【図１２】
0003586265.tif 000013
【図１３】
0003586265.tif 000014
【図１４】
0003586265.tif 000015
【図１５】
0003586265.tif 000016
【図１６】
0003586265.tif 000017
【図１７】
0003586265.tif 000018
【図１８】
0003586265.tif 000019
【図１９】
0003586265.tif 000020